(57)【要約】【課題】パチンコ台などの遊技機に搭載する液晶表示装置の静電気による誤動作防止装置を、安価で高い効果を得ることを目的とする。【解決手段】本発明のパチンコ台などの遊技機用液晶表示装置の静電気誤動作防止装置は、プリント配線板１上のグランドをフレームグランド２とシグナルグランド４に分離し、フレームグランド２はパチンコ台などの遊技機の電源基板のグランドに接続し、また、シグナルグランド４はインダクター５、若しくは、抵抗器８やフィルター９の電気部品にてフレームグランド２と接続をすることで、パチンコ台などの遊技機内から発生する静電気から液晶表示装置を安価に効果的に守るものである。【選択図】図１
2007229353.tif 000002
【特許請求の範囲】
【請求項１】
液晶表示装置を有するパチンコ台などの遊技機において、液晶表示装置内のプリント配線板上にフレームグランド、シグナルグランドを持ち、および前記フレームグランドと前記シグナルグランドの間にインダクターを配置することを特徴とする静電気誤動作を防止装置。
【請求項２】
液晶表示装置を有するパチンコ台などの遊技機において、液晶表示装置内のプリント配線板上にフレームグランド、シグナルグランドを持ち、および前記フレームグランドと前記シグナルグランドの間にフィルターを配置することを特徴とする静電気誤動作を防止装置。
【発明の詳細な説明】
【技術分野】
【０００１】
本発明はパチンコ台などの遊技機用液晶表示装置の静電気誤動作防止装置に関するものである。
【背景技術】
【０００２】
近年、パチンコ台などの遊技機の構成部品である液晶表示装置は液晶モジュール自身の大型化、高精細化に伴い、高速化が進み、扱うデータ量も多くなってきた。また、液晶表示装置を構成する電子部品の電源電圧も低電圧となってきている。
【０００３】
従来のパチンコ台などの遊技機の静電気対策において、パチンコ台などの遊技機内で発生する静電気を適切、かつ確実に放電除去する方法として、遊技盤に導電部材を配役して、パチンコ台などの遊技機内の電源基板との電気的導通を行っているもの（特許文献１参照）やプラスチック成形のミドルプレートに金属メッキを施してこれをコモンアースとし、外部接続端子板のアース端子に抵抗器を介して接続するもの（特許文献２参照）がある。
【０００４】
一方、パチンコ台などの遊技機用液晶表示装置においては、図８のようにプリント配線板１上のグランド２０を１つ（フレームグランドとシグナルグランドが共通）にして直接電源基板のグランドと接続したものや、図９のようにフィルター９を通じて電源基板のグランドと接続をしているものがある。
【０００５】
また、図１０のようにプリント配線板１をシールド板１０に接続する場合、プリント配線板１上の共通化したグランド２０をビス若しくはボルト１１，１２にて直接シールド板１０と接続している。
【特許文献１】特開２００２−３６０８０７号公報
【特許文献２】特開２００３−７１０７２号公報
【発明の開示】
【発明が解決しようとする課題】
【０００６】
しかしながら、上記の静電気誤動作防止装置では、液晶表示装置内のデータの処理速度の増大（クロック周波数の高速化）や処理用半導体の低電圧化に伴い、パチンコ台などの遊技機から発生する静電気によって誤動作が発生するという問題点を有していた。
【０００７】
また、パチンコ台などの遊技機内部から発生する静電気によって生じる電磁波により、電子回路が誤動作してしまう現象も発生していた。
【０００８】
本発明は、上記従来の課題を解決するもので、パチンコ台などの遊技機内にて発生する静電気に対して、より静電耐力の高い液晶表示装置を提供することを目的とする。
【課題を解決するための手段】
【０００９】
上記従来の課題を解決するために、本発明のパチンコ台などの遊技機用液晶表示装置の静電気誤動作防止装置は、プリント配線板上のグランドをフレームグランドとシグナルグランドに分割し、そのフレームグランドはパチンコ台などの遊技機の電源基板のグランドに接続し、そのシグナルグランドはインダクターもしくはフィルター等の電気部品にてフレームグランドと接続をすることでパチンコ台などの遊技機内から発生する静電気からの誤動作を防ぐものである。
【００１０】
また、パチンコ台などの遊技機内部から発生する静電気によって生じる電磁波により、電子回路が誤動作してしまう現象を防止するため、パチンコ台などの遊技機用液晶表示装置内のプリント配線板とシールド板を接続する際、プリント配線板の外側に配置したフレームグランドとシールド板とを接続することによって、電子回路の誤動作を防ぐことができる。
【発明の効果】
【００１１】
本発明の遊技機用液晶表示装置の静電気誤動作防止装置によれば、パチンコ台などの遊技機内で発生する静電気による液晶表示装置の誤動作を防止するために、安価で高い効果を得ることができる。
【発明を実施するための最良の形態】
【００１２】
以下本発明を実施するための最良の形態について、図面を参照しながら説明する。
【００１３】
（実施の形態）
図１は、本発明の実施の形態における構成図である。
【００１４】
図１において、１はプリント配線板、２はフレームグランド、４はシグナルグランドで両者ともプリント配線板１上に形成したグランド箔である。３はグランドギャップでフレームグランド２とシグナルグランド４との隙間で、５はインダクターでフレームグランド２とシグナルグランド４の間に配置し接続する。
【００１５】
パチンコ台などの遊技機の液晶表示装置の静電気誤動作防止装置について、図１を用いて説明する。
【００１６】
図１において、プリント配線板１上に２つのグランド（フレームグランド２とシグナルグランド４）を設けて、その間を５インダクターで接続する。フレームグランド２は直接パチンコ台などの遊技機の電源基板のグランドと接続される。
【００１７】
インダクター５は周波数が高くなればインピーダンスが大きくなるという周波数特性を持ち、静電気などの高い周波数ではインピーダンスが高くなるという特性を持っているため、パチンコ台などの遊技機のグランドから回り込む静電気の進入を阻止することができる。
【００１８】
一方、静電気が発生しない状態では、インピーダンスが低い状態となっているので、フレームグランド２と接続することでより広いグランドを持つことができる。このようにして、プリント配線板１上に形成されている電子回路の動作が安定する。
【００１９】
図２はシグナルグランド４をプリント配線板１上の一部に使用した場合の例を示す。これにより特に静電気に弱い電子回路部分のみ適用できる。
【００２０】
図３はフレームグランド２とシグナルグラン４ドの一部を切り取ること（６）で、静電気により発生する高周波電流を流しにくくする。
【００２１】
図４は、フレームグランド２とシグナルグランド４を２箇所以上切り取った（７）例を示す。
【００２２】
図５は、図１においてフレームグランド２とシグナルグランド４の接続用として用いられるインダクター５の代わりに抵抗器８を用いた例を示す。
【００２３】
図６は、図１においてフレームグランド２とシグナルグランド４の接続用として用いられるインダクター５の代わりにＬＣで構成したフィルター９を用いた例を示す。
【００２４】
図７は、より広いグランドを確保するためにシールド板１０を用いた例を示す。このとき、シールド板１０とプリント配線板１のグランド接続の方法は、プリント配線板１上のフレームグランド２をビス、若しくはボルト１１，１２でシールド板１０と接続する。
【００２５】
なお、フレームグランド２とシグナルグラン４を分離するものとしてインダクター５、抵抗器８、ＬＣによりフィルター（ローパスフィルタ）９以外にフェライトビーズ、サージアブソーバ等、高周波で高いインピーダンスを示す素子であれば良い。
【００２６】
また、図３ようにフレームグランド２とシグナルグラン４を銅箔パターンで分離、維持して電源回路に近いグランドに接続することが可能であれば上記のような高周波ハイインピーダンス素子は不要になる。
【産業上の利用可能性】
【００２７】
本発明にかかる遊技機用液晶表示装置の静電気誤動作防止装置は、安価で効果の高い静電気による誤動作防止対策を実現することが可能になるので、静電気による誤動作防止の必要なプリント配線板上で構成される電子回路の静電気誤動作防止装置として有用である。
【図面の簡単な説明】
【００２８】
【図１】本発明の実施の形態におけるプリント配線板の構造図
【図２】本発明の実施の形態におけるプリント配線板の応用構造図
【図３】本発明の実施の形態におけるプリント配線板の応用構造図
【図４】本発明の実施の形態におけるプリント配線板の応用構造図
【図５】本発明の実施の形態におけるプリント配線板の応用構造図
【図６】本発明の実施の形態におけるプリント配線板の応用構造図
【図７】本発明の実施の形態におけるプリント配線板とシールド板との接続構造図
【図８】従来のプリント配線板の構成図
【図９】従来のプリント配線板の応用構成図
【図１０】従来のプリント配線板とシールド板との接続構造図
【符号の説明】
【００２９】
１  プリント配線板
２  フレームグランド
３  グランドギャップ
４  シグナルグランド
５  インダクター
６  フレームグランドカット位置（１）
７  フレームグランドカット位置（２）
８  抵抗器
９  フィルター
１０  シールド板
１１  ビス、ボルト（１）
１２  ビス、ボルト（２）
２０  フレームグランド、シグナルグランド共通
【図１】
2007229353.tif 000003
【図２】
2007229353.tif 000004
【図３】
2007229353.tif 000005
【図４】
2007229353.tif 000006
【図５】
2007229353.tif 000007
【図６】
2007229353.tif 000008
【図７】
2007229353.tif 000009
【図８】
2007229353.tif 000010
【図９】
2007229353.tif 000011
【図１０】
2007229353.tif 000012